(57)【要約】【課題】産業プラントにおいて、実操業に沿った制御システムの機能試験や問題点解析を適切に且つ短時間で行うことができるようにする。【解決手段】シミュレーション装置１２は、データ収集装置１３、データ蓄積装置１４、データ復元装置１５及びデータ復元管理装置１６を備える。データ復元装置１５は、データ蓄積装置１４に蓄積された一部のプロセスデータを、データ収集装置１３によって収集された時と同じ時系列でネットワーク上に復元する。データ復元管理装置１６は、復元データ指定部１８とデータ復元制御部２１とを備える。復元データ指定部１８は、ネットワーク上に復元するプロセスデータの範囲を指定する。データ復元制御部２１は、復元データ指定部１８によって指定されたプロセスデータの範囲に基づいて、データ復元装置１５に、ネットワーク上へのプロセスデータの復元を行わせる。【選択図】図２
2014178814.tif 000002
【特許請求の範囲】
【請求項１】
産業プラントを構成する複数の機器とともに所定のネットワークに接続されたシミュレーション装置と、
を備え、
前記シミュレーション装置は、
前記ネットワークを介して伝送されるプロセスデータを時系列に収集するデータ収集装置と、
前記データ収集装置によって収集されたプロセスデータを蓄積するデータ蓄積装置と、
前記データ蓄積装置に蓄積された一部のプロセスデータを、前記データ収集装置によって収集された時と同じ時系列で前記ネットワーク上に復元するデータ復元装置と、
前記データ復元装置によって前記ネットワーク上に復元させるプロセスデータを管理するためのデータ復元管理装置と、
を備え、
前記データ復元管理装置は、
前記ネットワーク上に復元するプロセスデータの範囲を指定するための復元データ指定部と、
前記復元データ指定部によって指定されたプロセスデータの範囲に基づいて、前記データ復元装置に、前記ネットワーク上へのプロセスデータの復元を行わせるデータ復元制御部と、
を備えた操業シミュレーション装置。
【請求項２】
前記データ蓄積装置に蓄積されたプロセスデータの比較を行うデータ比較装置と、
を更に備え、
前記復元データ指定部は、特定の機器から出力されるプロセスデータを除外するようにプロセスデータの範囲を指定し、
前記データ比較装置は、前記復元データ指定部による指定範囲から除外されたプロセスデータと前記データ復元装置によってプロセスデータが復元された時に前記データ収集装置によって収集された、前記特定の機器から出力されたプロセスデータとを比較する
請求項１に記載の操業シミュレーション装置。
【請求項３】
前記データ復元管理装置は、
所定の停止条件が記憶された条件記憶部と、
前記データ比較装置による比較結果に基づいて、前記条件記憶部に記憶された停止条件が成立するか否かを判定する条件判定部と、
を備え、
前記データ復元制御部は、前記条件判定部によって停止条件が成立すると判定された場合に、前記データ復元装置によるプロセスデータの復元を停止させる請求項２に記載の操業シミュレーション装置。
【請求項４】
前記データ収集装置は、前記ネットワークを介して伝送される全てのプロセスデータを時系列に収集する請求項１から請求項３の何れか一項に記載の操業シミュレーション装置。
【発明の詳細な説明】
【技術分野】
【０００１】
この発明は、産業プラントにおいて用いられる操業シミュレーション装置に関するものである。
【背景技術】
【０００２】
鉄鋼・非鉄金属等の産業プラントでは、生産性の向上や製品品質の向上を目的として、種々のプロセスデータを収集及び蓄積している。
下記特許文献１には、収集及び蓄積したプロセスデータを利用して事故究明を行うための装置が開示されている。具体的に、特許文献１に記載された装置では、プラントにおいて事故が発生すると、その時のプロセスデータを再現して事故究明に役立てている。
【先行技術文献】
【特許文献】
【０００３】
【特許文献１】特開平２−２４９９１６号公報
【発明の概要】
【発明が解決しようとする課題】
【０００４】
特許文献１に記載された装置を含め従来の装置では、例えば、特定の制御システムを更新したり設定を変更したりした場合に、収集及び蓄積したプロセスデータを利用して、適切なシミュレーションを行うことができなかった。このため、実操業に沿った制御システムの機能試験や問題点解析を行うことができなかった。
【０００５】
この発明は、上述のような課題を解決するためになされたもので、その目的は、産業プラントにおいて、実操業に沿った制御システムの機能試験や問題点解析を適切に且つ短時間で行うことができる操業シミュレーション装置を提供することである。
【課題を解決するための手段】
【０００６】
この発明に係る操業シミュレーション装置は、産業プラントを構成する複数の機器とともに所定のネットワークに接続されたシミュレーション装置と、を備え、シミュレーション装置は、ネットワークを介して伝送されるプロセスデータを時系列に収集するデータ収集装置と、データ収集装置によって収集されたプロセスデータを蓄積するデータ蓄積装置と、データ蓄積装置に蓄積された一部のプロセスデータを、データ収集装置によって収集された時と同じ時系列でネットワーク上に復元するデータ復元装置と、データ復元装置によってネットワーク上に復元させるプロセスデータを管理するためのデータ復元管理装置と、を備え、データ復元管理装置は、ネットワーク上に復元するプロセスデータの範囲を指定するための復元データ指定部と、復元データ指定部によって指定されたプロセスデータの範囲に基づいて、データ復元装置に、ネットワーク上へのプロセスデータの復元を行わせるデータ復元制御部と、を備えたものである。
【発明の効果】
【０００７】
この発明に係る操業シミュレーション装置であれば、産業プラントにおいて、実操業に沿った制御システムの機能試験や問題点解析を適切に且つ短時間で行うことができるようになる。
【図面の簡単な説明】
【０００８】
【図１】この発明の実施の形態１における操業シミュレーション装置の構成を示す図である。
【図２】図１に示すシミュレーション装置の構成を示す図である。
【発明を実施するための形態】
【０００９】
添付の図面を参照して、本発明を詳細に説明する。各図では、同一又は相当する部分に、同一の符号を付している。重複する説明は、適宜簡略化或いは省略する。
【００１０】
実施の形態１．
図１はこの発明の実施の形態１における操業シミュレーション装置の構成を示す図である。
本操業シミュレーション装置は、産業プラントにおいて、実操業に沿ったシミュレーションを行うために使用される装置である。以下においては、本操業シミュレーション装置を鉄鋼プラントに適用する場合を例に、具体的な説明を行う。
【００１１】
鉄鋼プラントは、例えば、熱間圧延プラントや冷間圧延プラント、プロセスラインプラントといった複数の工程によって構成される。各工程では、種々の設備を使用して製品（半製品を含む）を製造する。例えば、プロセスラインプラントは、熱間圧延プラントや冷間圧延プラントで製造された製品（コイル）を最終製品に仕上げる。プロセスラインプラントには、例えば、酸洗、焼鈍、めっき、塗装、切断等を行うための１つ或いは複数の設備が備えられる。
【００１２】
鉄鋼プラントを構成する各工程に、プロセス計算機１、プロセスコントローラ２、駆動装置３、プロセスセンサ４、操作端末５、操作盤６が備えられる。
プロセス計算機１、プロセスコントローラ２、プロセスセンサ４及び操作端末５は、情報ＬＡＮ７に接続される。情報ＬＡＮ７は、製造情報管理や情報統括に用いられるＬＡＮである。また、プロセス計算機１、プロセスコントローラ２、駆動装置３、プロセスセンサ４、操作端末５及び操作盤６は、制御ＬＡＮ８に接続される。制御ＬＡＮ８は、制御用の高速データ伝送に用いられるＬＡＮである。
【００１３】
各工程のプロセス計算機１は、上位ＬＡＮ９を介して上位計算機１０に接続される。上位ＬＡＮ９は、情報ＬＡＮ７及び制御ＬＡＮ８より上位のネットワークであり、プラント操業や物流管理に用いられる。上位ＬＡＮ９には、上位計算機１０や各工程のプロセス計算機１の他に、搬送システム１１も接続される。
【００１４】
本願発明の要部を構成するシミュレーション装置１２は、鉄鋼プラントに備えられた各ネットワークに接続される。図１に示す例では、シミュレーション装置１２は、情報ＬＡＮ７、制御ＬＡＮ８、上位ＬＡＮ９のそれぞれに接続される。鉄鋼プラント内に、プロセスデータが伝送される他のネットワークが存在する場合、シミュレーション装置１２は、そのネットワークにも接続される。
【００１５】
図２は図１に示すシミュレーション装置の構成を示す図である。図２に示すように、シミュレーション装置１２は、データ収集装置１３、データ蓄積装置１４、データ復元装置１５、データ復元管理装置１６、データ比較装置１７を備える。
シミュレーション装置１２の具体的な機能については後述する。
【００１６】
上位計算機１０は、鉄鋼プラントの上位において情報を管理する。上位計算機１０は、例えば、ビジネスコンピュータからなる。上位計算機１０は、例えば、製造する製品の情報や期日の情報に基づいて、製品製造のためのスケジュールを作成する。上位計算機１０は、作成したスケジュールに基づいて、各工程において製造を行うための指示情報（製造指示情報）を決定する。
【００１７】
上位計算機１０は、各工程のプロセス計算機１に対して、プラント操業に関する情報（プラント操業情報）を上位ＬＡＮ９を介して出力する。プラント操業情報とは、鉄鋼プラントを構成する各工程において操業を行うための情報である。上位計算機１０からプロセス計算機１に出力されるプラント操業情報には、例えば、母材情報や製品の製造指示情報が含まれる。
【００１８】
搬送システム１１は、母材や製品を工程間で搬送するための設備を管理する。例えば、熱間圧延プラントで製造されたコイルは、一定期間、ヤード等に保管される。搬送システム１１は、ヤードに設置されたクレーン等の設備を管理する。
【００１９】
搬送システム１１は、各工程のプロセス計算機１に対して、物流管理に関する情報（物流管理情報）を上位ＬＡＮ９を介して出力する。搬送システム１１からプロセス計算機１に出力される物流管理情報には、例えば、母材や製品の位置情報が含まれる。
【００２０】
プロセス計算機１は、鉄鋼プラントを構成する工程の制御情報を統括する。プロセス計算機１は、情報ＬＡＮ７や制御ＬＡＮ８に接続された機器を使用して製品を製造する際の目標値を計算する。プロセス計算機１は、上位計算機１０から受信したプラント操業情報に基づいて、上記目標値の計算を行う。
【００２１】
プロセス計算機１は、上位計算機１０に対して、プラント操業情報を上位ＬＡＮ９を介して出力する。プロセス計算機１から上位計算機１０に出力されるプラント操業情報には、例えば、製品の製造進捗情報や製品情報が含まれる。
プロセス計算機１は、搬送システム１１に対して、物流管理情報を上位ＬＡＮ９を介して出力する。プロセス計算機１から搬送システム１１に出力される物流管理情報には、例えば、製品の位置情報が含まれる。
【００２２】
なお、シミュレーション装置１２のデータ収集装置１３は、接続されているネットワークを介して収集可能なプロセスデータを、時系列に全て収集する。データ収集装置１３は、収集したプロセスデータをデータ蓄積装置１４に蓄積する。
【００２３】
例えば、データ収集装置１３は、上位ＬＡＮ９を介して伝送されるプロセスデータを全て受信する。データ収集装置１３は、上位ＬＡＮ９を介してプロセスデータを受信すると、受信したプロセスデータを編集する。例えば、データ収集装置１３は、受信したプロセスデータにタイムスタンプを付加する。データ蓄積装置１４は、データ収集装置１３によって編集されたデータを記憶する。
【００２４】
プロセスコントローラ２は、工程に備えられた各機器を実際に制御する機能を有する。プロセスコントローラ２は、各機器に対する指令値を計算し、計算した指令値を情報ＬＡＮ７及び制御ＬＡＮ８を介して出力する。プロセスコントローラ２による上記指令値の計算は、プロセス計算機１から受信した目標値と情報ＬＡＮ７及び制御ＬＡＮ８に接続されている各機器からの出力値とに基づいて行われる。
プロセスコントローラ２は、必要に応じて、１台或いは複数台が備えられる。
【００２５】
駆動装置３は、プロセスコントローラ２が計算した指令値に基づいて駆動される。駆動装置３は、例えば、電動機やバルブの開閉を駆動する装置等、種々の装置によって構成される。
【００２６】
プロセスセンサ４は、温度や速度、時間等を測定する各種測定器からなる。プロセスセンサ４は、用途別に多数が備えられる。プロセスセンサ４は、その種別により、情報ＬＡＮ７或いは制御ＬＡＮ８に接続される。一部のプロセスセンサ４は、情報ＬＡＮ７及び制御ＬＡＮ８の双方に接続される。プロセスセンサ４は、測定した結果（測定値）を情報ＬＡＮ７又は／及び制御ＬＡＮ８に出力する。
【００２７】
操作端末５は、例えば、オペレータが操作するためのＰＣからなる。操作端末５は、オペレータが制御介入するための画面を提供する。オペレータは、操作端末５の画面に表示されたプロセスデータを見て、その値が正常か否かを確認することができる。また、オペレータは、操作端末５からプロセスデータの値を入力することにより、オペレータ介入を行うことができる。操作端末５は、オペレータが入力した値（オペレータ入力情報）を情報ＬＡＮ７又は／及び制御ＬＡＮ８に出力する。
【００２８】
操作盤６は、オペレータが制御介入するための操作用品（例えば、ツマミ、レバー、スイッチ等）を提供する。オペレータは、操作盤６に備えられた操作用品を操作することにより、オペレータ介入を行うことができる。操作盤６は、オペレータが入力した値（オペレータ入力情報）を制御ＬＡＮ８に出力する。
【００２９】
情報ＬＡＮ７は、上述したように、製造情報管理や情報統括に用いられる情報ネットワークである。鉄鋼プラントを構成する各工程では、種々のプロセスデータが情報ＬＡＮ７を介して伝送される。情報ＬＡＮ７を介して伝送されるプロセスデータには、以下のようなデータも含まれる。
・プロセス計算機１からプロセスコントローラ２やプロセスセンサ４に対する制御設定情報
・プロセスコントローラ２やプロセス計算機１から操作端末５に対する画面表示情報
・操作端末５からプロセスコントローラ２やプロセス計算機１に対するオペレータ入力情報
・プロセスセンサ４からプロセスコントローラ２やプロセス計算機１に対する測定値
【００３０】
データ収集装置１３は、情報ＬＡＮ７を介して伝送されるプロセスデータを全て受信する。データ収集装置１３は、情報ＬＡＮ７を介してプロセスデータを受信すると、受信したプロセスデータを編集する。例えば、データ収集装置１３は、受信したプロセスデータにタイムスタンプを付加する。データ蓄積装置１４は、データ収集装置１３によって編集されたデータを記憶する。
【００３１】
制御ＬＡＮ８は、プロセス制御用ネットワークである。制御ＬＡＮ８は、プロセス計算機１、プロセスコントローラ２、駆動装置３、プロセスセンサ４、操作端末５、操作盤６の各ノード間で、一定の高速周期で共有される共通データエリアを提供する。鉄鋼プラントを構成する各工程では、種々のプロセスデータが制御ＬＡＮ８を介して伝送される。制御ＬＡＮ８を介して伝送されるプロセスデータには、以下のようなデータも含まれる。
・プロセスコントローラ２間の制御情報
・プロセスコントローラ２からプロセスセンサ４や駆動装置３に対する制御情報
・プロセスセンサ４から出力された測定値
・駆動装置３から出力された実績値
・プロセス計算機１からプロセスコントローラ２に対する制御設定
・操作端末５や操作盤６から出力されたオペレータ入力情報
【００３２】
データ収集装置１３は、制御ＬＡＮ８を介して伝送されるプロセスデータを全て受信する。データ収集装置１３は、制御ＬＡＮ８を介してプロセスデータを受信すると、受信したプロセスデータを編集する。例えば、データ収集装置１３は、受信したプロセスデータにタイムスタンプを付加する。データ蓄積装置１４は、データ収集装置１３によって編集されたデータを記憶する。
【００３３】
データ蓄積装置１４は、データ収集装置１３によって収集されたプロセスデータを蓄積する大容量データベースから構成される。データ蓄積装置１４は、収集されたプロセスデータを、予め定められた一定期間保存する。
【００３４】
データ復元装置１５は、データ蓄積装置１４に蓄積されているプロセスデータを、データ収集装置１３によって収集された時と同じ時系列でネットワーク上に復元する機能を有する。復元を行う場合、データ復元装置１５は、先ず、データ蓄積装置１４に蓄積されているプロセスデータを読み出す。そして、データ復元装置１５は、上位ＬＡＮ９を介して収集されたプロセスデータを上位ＬＡＮ９に復元する。同様に、データ復元装置１５は、情報ＬＡＮ７を介して収集されたプロセスデータを情報ＬＡＮ７に復元する。データ復元装置１５は、制御ＬＡＮ８を介して収集されたプロセスデータを制御ＬＡＮ８に復元する。
【００３５】
データ復元装置１５がデータ蓄積装置１４に蓄積されている全てのプロセスデータをネットワーク上に復元すると、以前にそのプロセスデータが収集された時と同じ状態（操業）が再現される。
【００３６】
一方、データ復元装置１５がデータ蓄積装置１４に蓄積されている一部（一部の種別）のプロセスデータをネットワーク上に復元すると、プロセスデータの復元を除外した機器について、実操業データに基づく操業シミュレーションを行うことができる。
【００３７】
例えば、データ蓄積装置１４に蓄積されているプロセスデータのうち、プロセスコントローラ２から出力されたプロセスデータ以外のデータをネットワーク上に復元した場合を考える。かかる場合、プロセスコントローラ２には、実操業が行われていた時に入力されたプロセスデータと同じプロセスデータが同じ時系列で入力される。プロセスコントローラ２は、入力されたプロセスデータに基づいて出力を行う。この時のプロセスコントローラ２の出力は、実操業時の機能に基づくものではなく、現時点の機能に基づくものである。即ち、以前にプロセスデータが収集された時の操業条件と同じ操業条件を再現した上で、プロセスコントローラ２に対してのみ、現時点の機能に基づく出力を行わせることができる。
【００３８】
また、例えば、データ蓄積装置１４に蓄積されているプロセスデータのうち、プロセスコントローラ２から出力されたプロセスデータ及び操作端末５から出力されたプロセスデータ以外のデータをネットワーク上に復元すると、操作端末５からオペレータが入力した値やタイミングが異なる場合のプロセスコントローラ２の出力を再現することができる。
【００３９】
データ復元管理装置１６は、データ復元装置１５によってネットワーク上に復元させるプロセスデータを管理する機能を有する。データ復元管理装置１６は、復元データ指定部１８、条件記憶部１９、条件判定部２０、データ復元制御部２１を備える。
【００４０】
復元データ指定部１８は、ネットワーク上に復元するプロセスデータの範囲を指定する。上記プロセスデータを復元する範囲には、種別に基づく範囲と期間に基づく範囲とがある。例えば、上記１つ目の例の場合は、プロセスコントローラ２からの出力を除く範囲が、種別に基づく範囲となる。上記２つ目の例の場合は、プロセスコントローラ２からの出力と操作端末５からの出力とを除く範囲が、種別に基づく範囲となる。復元データ指定部１８は、オペレータが入力した情報に基づいて、種別に基づく範囲を指定（設定）する。オペレータは、例えば、操作端末５を操作して、種別に基づく範囲を指定するための情報を入力する。
【００４１】
期間に基づく範囲には、例えば、開始・停止（終了を含む）の各情報が含まれる。また、期間に基づく範囲に、再開・一時停止の各情報を含めても良い。復元データ指定部１８は、オペレータが入力した情報に基づいて、期間に基づく範囲を指定（設定）する。オペレータは、例えば、操作端末５を操作して、期間に基づく範囲を指定するための情報を入力する。
【００４２】
一時停止・再開・停止の各情報は、予め設定された復元条件に基づいて、復元データ指定部１８によって自動的に設定されるように構成しても良い。復元条件には、例えば、復元を一時停止するための一時停止条件や復元を再開するための再開条件、復元を停止するための停止条件が含まれる。復元条件は、条件記憶部１９に予め記憶される。オペレータは、操作端末５を操作することにより、復元を開始する前に復元条件を設定することができる。
【００４３】
条件判定部２０は、条件記憶部１９に記憶された復元条件が成立したか否かを判定する。例えば、条件記憶部１９に停止条件のみが記憶されている場合（或いは、停止条件のみが有効に設定されている場合）、条件判定部２０は、停止条件が成立したか否かを判定する。条件記憶部１９に停止条件と再開条件とが記憶されている場合（或いは、停止条件と再開条件との双方が有効に設定されている場合）、条件判定部２０は、停止条件と再開条件とのそれぞれについて成立したか否かを判定する。
【００４４】
条件判定部２０は、例えば、一定の時間が経過した場合に復元条件が成立したと判定する。他の例として、条件判定部２０は、あるプロセスデータの値が基準値を超えた場合に復元条件が成立したと判定する。条件判定部２０は、あるプロセスデータの値が他のプロセスデータの値を超えた場合に復元条件が成立したと判定しても良い。
【００４５】
データ復元制御部２１は、データ復元装置１５に、ネットワーク上へのプロセスデータの復元を行わせる機能を有する。データ復元制御部２１は、復元データ指定部１８によって指定されたプロセスデータの範囲に基づいて、データ復元装置１５にプロセスデータの復元を行わせる。例えば、データ復元制御部２１は、復元データ指定部１８によって指定されたプロセスデータの範囲（具体的には、開始の情報）に基づいて復元制御指令を出力し、データ復元装置１５に、プロセスデータの復元を開始させる。また、データ復元制御部２１は、条件判定部２０によって停止条件が成立する旨が判定されると、データ復元装置１５に復元制御指令を出力し、プロセスデータの復元を停止させる。
【００４６】
データ収集装置１３は、データ復元装置１５によってプロセスデータの復元が行われている間も、情報ＬＡＮ７や制御ＬＡＮ８、上位ＬＡＮ９を介して伝送されるプロセスデータを全て受信する。データ収集装置１３は、各ネットワークを介してプロセスデータを受信すると、受信したプロセスデータにタイムスタンプを付加する。データ蓄積装置１４は、データ収集装置１３によって編集されたデータを記憶する。
【００４７】
データ比較装置１７は、データ蓄積装置１４に蓄積されたプロセスデータを比較する機能を有する。具体的に、データ比較装置１７は、実操業時にデータ収集装置１３によって収集されたプロセスデータとシミュレーション時にデータ収集装置１３によって収集された対応するプロセスデータとを比較する。データ比較装置１７は、データ比較部２２と記憶部２３とを備える。
【００４８】
上述したように、復元データ指定部１８は、特定の機器から出力されるプロセスデータを除外するようにプロセスデータの範囲（種別に基づく範囲）を指定することができる。データ比較部２２は、復元データ指定部１８による指定範囲から除外されたプロセスデータとデータ復元装置１５によってプロセスデータが復元された時に上記特定の機器から出力されたプロセスデータとを比較する。
【００４９】
例えば、上記１つ目の例の場合は、プロセスコントローラ２からの出力を除く範囲が、復元データ指定部１８によってプロセスデータの範囲（種別に基づく範囲）として指定される。かかる場合、データ比較部２２は、実操業時にデータ収集装置１３によって収集されたプロセスコントローラ２の出力とシミュレーション時にデータ収集装置１３によって収集されたプロセスコントローラ２の出力とを比較する。
データ比較部２２の比較結果は、記憶部２３に記憶される。
【００５０】
条件判定部２０は、データ比較部２２の比較結果に基づいて、復元条件が成立したか否かを判定しても良い。かかる場合、条件判定部２０は、記憶部２３に記憶された情報を取得し、その取得した情報に基づいて復元条件が成立したか否かを判定する。そして、データ復元制御部２１は、例えば、実操業時のプロセスデータとシミュレーション時のプロセスデータとの差が閾値を超えた場合に、復元の一時停止、再開或いは停止を行わせるための復元制御指令をデータ復元装置１５に出力する。
【００５１】
なお、データ復元装置１５によってプロセスデータの復元が行われている間、復元処理の状態及び復元条件に関わるプロセスデータの値を操作端末５に表示させても良い。操作端末５は、上記情報の表示を行うとともに、例えば、復元処理を一時停止・再開・停止するための入力手段をオペレータに提供しても良い。
また、データ復元装置１５によってプロセスデータの復元が行われている間、制御条件及びデータ比較部２２の比較結果を操作端末５に表示させても良い。更に、復元条件に関わらないプロセスデータに関しても、操業時の値及びシミュレーション時の値、或いはその差異を操作端末５に表示させても良い。
【００５２】
上記構成を有する操業シミュレーション装置であれば、産業プラントにおいて、実操業に沿った制御システムの機能試験や問題点解析を適切に且つ短時間で行うことができるようになる。
【００５３】
本操業シミュレーション装置は、鉄鋼プラントへの適用に限定されるものではない。本操業シミュレーション装置は、鉄鋼プラント以外の他の産業プラントにも適用することができる。かかる場合、例えば、産業プラントを構成する複数の機器とともに、シミュレーション装置１２を所定のネットワークに接続する。シミュレーション装置１２は、接続された上記ネットワークを介してプロセスデータを収集し、シミュレーションのための上記各制御を実施する。
【符号の説明】
【００５４】
１  プロセス計算機
２  プロセスコントローラ
３  駆動装置
４  プロセスセンサ
５  操作端末
６  操作盤
７  情報ＬＡＮ
８  制御ＬＡＮ
９  上位ＬＡＮ
１０  上位計算機
１１  搬送システム
１２  シミュレーション装置
１３  データ収集装置
１４  データ蓄積装置
１５  データ復元装置
１６  データ復元管理装置
１７  データ比較装置
１８  復元データ指定部
１９  条件記憶部
２０  条件判定部
２１  データ復元制御部
２２  データ比較部
２３  記憶部
【図１】
2014178814.tif 000003
【図２】
2014178814.tif 000004